(57)【要約】【課題】ポリ袋を整理良く保管することができ、且つ所望の大きさのポリ袋を容易に取り出すことができるポリ袋ホルダを提供する。【解決手段】  鉛直面状の被固着面Ｂに固着される固着部１に、支持部２を設ける。この支持部２にポリ袋Ｃが保持される複数の保持部３を設ける。前記各保持部３は支持部２に設けられた保持凹部４とこの保持凹部４に対して設けられた保持板５とで形成する。各保持凹部４は、同一方向に傾斜するよう形成する。各保持凹部４に対して二つの保持板５を互いに間隔をあけて対向するように形成する。この二つの保持板５は、互いの対向面とは反対側の面が保持凹部４の内面において支持部２に対して固着されるように形成する。【選択図】図１
0003101887.tif 000002
【実用新案登録請求の範囲】
【請求項１】
被固着面に固着される固着部に支持部を設け、この支持部にポリ袋が保持される複数の保持部を設け、前記各保持部は支持部に設けられた保持凹部とこの保持凹部に対して設けられた保持板とで形成し、各保持凹部は、それぞれ支持部の端縁と支持部の両面とにおいて開口するように形成すると共に被固着面に対して同一方向に傾斜するよう凹入させて形成し、各保持凹部に二つの保持板を、前記保持凹部の傾斜方向に沿った方向に傾斜すると共にこの傾斜方向と直交する方向で互いに間隔をあけて対向するように形成し、この二つの保持板は、互いの対向面とは反対側の面が保持凹部の内面において支持部に固着されるように形成して成ることを特徴とするポリ袋ホルダ。
【請求項２】
上記保持板の寸法を、各保持部ごとに異ならせることを特徴とする請求項１に記載のポリ袋ホルダ。
【考案の詳細な説明】
【技術分野】
【０００１】
本考案は、買い物袋等として利用されるプラスチックフィルム製の袋を、家庭内等においてストックするためのポリ袋ホルダに関するものである。
【背景技術】
【０００２】
スーパーマーケット等のような小売店などでは、買い物客に対して買い物袋としてポリエチレン、ポリプロピレン等のプラスチックフィルム製の袋（一般に「ポリ袋」と呼ばれる）を渡すことが頻繁に行われている。買い物袋等として使用された後の使用済みのポリ袋は、ゴミ袋等として再利用するために、家庭内において保管されることが多い。
【０００３】
このような使用済みのポリ袋を家庭内で保管する場合は、例えばポリ袋を折りたたんだり、丸めたりしてから、容器等に収納することが行われている。そして必要に応じて保管されているポリ袋を取り出して、ゴミ袋等の用途に再利用される。
【考案の開示】
【考案が解決しようとする課題】
【０００４】
ポリ袋を上記のように保管する場合、毎日のようにポリ袋を丸めたり畳んだりするのは非常に煩雑なものであった。またポリ袋には様々な大きさのものがあるが、ポリ袋を折り畳んだり丸めたりした状態ではそのポリ袋の大きさを把握することは困難であり、このためポリ袋の再利用の際に用途に応じた大きさのポリ袋を取り出すことは困難であった。
【０００５】
本考案は上記の点に鑑みて為されたものであり、本考案の目的は、ポリ袋を整理良く保管することができ、且つ所望の大きさのポリ袋を容易に取り出すことができるポリ袋ホルダを提供することにある。
【課題を解決するための手段】
【０００６】
本考案に係るポリ袋ホルダＡは、被固着面Ｂに固着される固着部１に支持部２を設け、この支持部２にポリ袋Ｃが保持される複数の保持部３を設け、前記各保持部３は支持部２に設けられた保持凹部４とこの保持凹部４に対して設けられた保持板５とで形成し、各保持凹部４は、それぞれ支持部２の端縁と支持部２の両面とで開口するように形成すると共に被固着面Ｂに対して同一方向に傾斜するよう凹入させて形成し、各保持凹部４に対して二つの保持板５を、保持凹部４の傾斜方向に沿った方向に傾斜すると共にこの傾斜方向と直交する方向で互いに間隔をあけて対向するように形成し、この二つの保持板５は、互いの対向面とは反対側の面が保持凹部４の内面において支持部２に固着されるように形成して成ることを特徴とする。
【０００７】
このポリ袋ホルダＡでは、複数の各保持部３の二つの保持板５の間に、上下方向に開放されると共に固着部１からの保持部３の突出方向側に開放された保持空間６が形成され、この保持空間６にポリ袋Ｃを差し入れることでポリ袋Ｃを保持させて保管し、保持されたポリ袋Ｃは容易に取り出して再利用に供することができる。このときポリ袋Ｃは、大きさ等に応じて複数の保持部３に分けて整理良く保管することができる。
【０００８】
また、ポリ袋ホルダＡに正面からポリ袋Ｃを保持させたり取り出したりする作業を行うことが困難な場合でも、保持部３が傾斜しているためにポリ袋ホルダＡの斜め方向からポリ袋Ｃを保持させたり取り出したりする作業を行うことができ、しかもポリ袋ホルダＡを上下逆転させて設置するなどして、壁等の造営面や家具の側面等の被固着面Ｂに対する保持部３の傾斜方向を変更し、ポリ袋Ｃの設置位置に応じて、使用者がポリ袋Ｃの保持、取り出しをし易い方向に保持部３の傾斜方向を設定することができる。
【０００９】
また、上記保持板５の寸法は、各保持部３ごとに異ならせるように形成することが好ましい。この場合、ポリ袋Ｃを保管するにあたって、ポリ袋Ｃの寸法に応じて、寸法の大きいポリ袋Ｃを、寸法の大きい保持板５が設けられた保持部３に保持させ、寸法の小さいポリ袋Ｃを、寸法の小さい保持板５が設けられた保持部３に保持させるようにすることができ、このように寸法の異なるポリ袋Ｃを寸法ごとに分類して保管することが容易となると共に、ポリ袋Ｃを取り出す場合には所望の寸法のポリ袋Ｃを容易に取り出すことが可能となる。
【考案の効果】
【００１０】
本考案では、ポリ袋の保管・取り出しを容易に行うことができると共に、ポリ袋を大きさ等で分類して整理良く保管することが容易であり、且つ、設置位置に応じてポリ袋の保管・取り出しの作業性が良くなるように被固着面に対して設置することができるものである。
【考案を実施するための最良の形態】
【００１１】
以下、本考案を実施するための最良の形態について説明する。
【００１２】
図１〜５に記載の例では、固着部１に支持部２を一体に設けて基体が構成されている。
【００１３】
固着部１は、壁面等の造営面、家具の外面等のような、鉛直面状の面（被固着面Ｂという）に沿って配置させた状態でこの被固着面Ｂに固着されるものであり、それによりポリ袋ホルダＡをこのような被固着面Ｂに対して固定する機能を有する。固着部１の形状は適宜のものとすることができるが、図示の例では平板矩形状に形成され、その一面が被固着面Ｂに沿って配置される。固着部１の被固着面Ｂへの固着は、ビス、螺子等の固着具、粘着テープ等を用いた適宜の手法により行うことができる。以下、ポリ袋ホルダＡを固着部１にて被固着面Ｂに固定した状態を、固着状態という。
【００１４】
支持部２は適宜の形状に形成できるが、図示の例では平板矩形状の二つの板状体２ａ，２ａから構成されている。この板状体２ａは、固着部１の、被固着面Ｂに固着される面とは反対側の面から突設されており、各板状体２ａ，２ａは間隔をあけて対向するように設けられている。この板状体２ａは、固着状態では固着部１から水平方向に突出するように形成され、且つ水平面状に配置されるように形成されるものであり、このとき二つの板状体２ａ，２ａは上下に対向するように形成される。また支持部２は例えば一枚の板状体２ａで形成しても良く、また二枚以上の複数枚の板状体２ａにて形成しても良い。
【００１５】
この支持部２には、ポリ袋Ｃが保持される複数の保持部３が設けられる。保持部３は支持部２に凹設した保持凹部４と、この保持凹部４に設けられる保持板５とから構成される。
【００１６】
保持凹部４は、支持部２の固着部１からの突出方向の一端縁で開口すると共にこの支持部２の両面で開口するように形成される。すなわち、固着状態では、保持凹部４は支持部２の端縁において固着部１とは反対方向の水平方向（支持部２の突出方向）に向けて開口すると共に、支持部２の上下両面において開口するように形成される。この保持凹部４は支持部２の突出方向の端縁の開口から固着部１側に向けて凹入するように設けられ、このとき凹部４ａは、被固着面Ｂに対して傾斜する方向に凹入するように形成されており、且つこの傾斜方向に長く形成されている。図示の例では、被固着面Ｂに対して垂直な線を基準にし、この線よりも水平方向に傾斜するように形成されている。
【００１７】
支持部２を複数の板状体２ａで形成する場合等では、各板状体２ａに設けた各凹部４ａによって保持凹部４を構成することができる。図示のように二枚の板状体２ａにて支持部２が形成されている場合には、各板状体２ａにそれぞれ凹部４ａを設けて、この二つの凹部４ａにて保持凹部４が構成される。この凹部４ａは、板状体２ａの固着部１からの突出方向の一端縁で開口すると共にこの板状体２ａの上下両面で開口するように形成される。また、一つの保持凹部４を構成する二つの凹部４ａは、固着状態において一方の凹部４ａを鉛直方向に投影した位置にこれと同一形状の他方の凹部４ａが形成されるように設けられている。
【００１８】
保持凹部４は、保持部３の数に応じた個数が設けられるものであり、支持部２には複数の保持凹部４が形成される。複数の保持凹部４は例えば図示のように固着状態において被固着面Ｂに沿った水平方向に並ぶように形成されるものであり、また各保持凹部４の傾斜方向は全て同一の方向に傾斜するように形成される。例えば一つの保持凹部４を被固着面Ｂに沿った水平方向に移動させたものと合致する形状に他の保持凹部４を形成するものである。
【００１９】
各保持凹部４には、それぞれ保持板５を設けて保持部３が形成される。保持板５は各保持凹部４に二つ設けることができる。このとき二つの保持板５は、固着状態において被固着面Ｂに対して、保持凹部４の傾斜方向に沿った方向に傾斜した状態となるように形成され、且つこの傾斜方向と直交する水平方向で互いに間隔をあけて対向するように形成される。この二つの保持板５は、保持凹部４の内側に差し入れられた形状に形成され、このとき対向面とは反対側の面が保持凹部４の内面において支持部２に対して固着された形状に形成される。このとき図示のものでは、保持板５は保持凹部４内に、その支持部２の突出側の開口縁から内奥側の端部に亘り設けられている。支持部２を複数の板状体２ａで形成するときは、複数の各凹部４ａそれぞれにおいて保持板５が固設されるように形成することで、保持板５の強度が向上して変形が生じにくくなる。また図示の例では、隣合う保持部３間には、支持部２の突出方向の端部側において保持板５の端部同士を接続するブリッジ片７が架設されている。
【００２０】
これにより、支持部２には固着状態において被固着面Ｂに沿った水平方向に並んで複数の保持部３が設けられ、各保持部３においては、二つの保持板５が鉛直面状且つ被固着面Ｂに垂直な線に対して水平方向に傾斜した状態で設けられると共にこの二つの保持板５は間に空隙を挟んで対向するように形成される。各保持部３の保持板５は全て同一方向に傾斜するように形成されている。また、このとき形成される保持板５の間の空間（保持空間６）は、上下方向に開放されており、また被固着面Ｂに垂直な方向から水平方向に傾斜した方向の、固着部１からの保持部３の突出方向側に開放されている。
【００２１】
また、各保持部３は、各保持板５が固着状態において支持部２から上下に突出するように形成されるが、このとき、各保持板５の固着状態での上下方向の寸法は、複数の保持部３ごとに異ならせることが好ましい。例えば図示の例では、水平方向に並ぶ保持部３の一端側から他端側にいくに従って、各保持部３の保持板５が順次大きくなるように形成されている。
【００２２】
また、上記の保持板５は、図示のように、支持部２の突出方向に対して水平方向に湾曲した形状に形成することが好ましい。このとき各保持部３において対向する二つの保持板５の各対向面が凸湾曲するように形成される。また、このとき対向する保持板５間の幅（保持空間６の幅）は、保持凹部４の突出方向の端縁の開口方向にいくに従って大きくなるようにすることが好ましい。また、このとき保持板５を支持する保持凹部４は保持板５の形状に合致する形状に形成されるものであり、すなわち凹部４ａに臨む支持部２の端縁の輪郭形状は、保持板５に接合される部位が凸曲線状となるように形成される。
【００２３】
このポリ袋ホルダＡを構成する各部材は、プラスチック、金属等の適度な剛性を有する適宜の材質にて形成することができる。好ましくは、このポリ袋ホルダＡを構成する部材、殊に保持板５を、透明プラスチック等のような透明な材質にて形成する。
【００２４】
このようなポリ袋ホルダＡにてポリ袋Ｃを保管するにあたっては、まず上記の通りポリ袋ホルダＡの固着部１を壁等の造営面や、家具の側面等の被固着面Ｂに、ビス、螺子、粘着テープ等の適宜の固着手段にて固着することで、ポリ袋ホルダＡを被固着面Ｂに対して固定する。このとき、支持部２が水平方向に配置されると共に、保持板５が鉛直方向に配置されるようにする。
【００２５】
ポリ袋Ｃは、これを引き絞って細長い形状とし、この状態で図５に示すように各保持部３の保持板５間の保持空間６に差し入れることで、保管することができる。このときポリ袋Ｃは、支持部２の突出側における保持空間６の開口から保持空間６内に差し入れることができ、またこのときポリ袋Ｃは保持空間６の上下開口からそれぞれ上下に突出するように配置される。この状態では、ポリ袋Ｃが元の形状に戻ろうとする復元力がポリ袋Ｃから保持板５に向けて働くことで、ポリ袋Ｃが保持板５間の保持空間６内に安定して保持される。
【００２６】
またこのように保持されたポリ袋Ｃは、保持部３から容易に取り出すことができ、このポリ袋Ｃを容易に再利用に供することができる。保持空間６からポリ袋Ｃを取り出す際には、支持部２の突出側の開口、上方の開口、下方の開口のいずれからも取り出すことができるが、例えば下方の開口からポリ袋Ｃを下方に引き降ろすことにより、ポリ袋Ｃを容易に取り出すことができる。またこのとき保持空間６の奥側に配置されているポリ袋Ｃから取り出すようにして、古いポリ袋Ｃから順に取り出すことができる。
【００２７】
また、上記のように保持凹部４を傾斜させて形成することで保持板５間の保持空間６が傾斜するように形成すると、ポリ袋Ｃを保持空間６の傾斜方向側から差し入れたり取り出したりすることが容易となる。特にこのようなポリ袋ホルダＡは、台所等において作業や移動等の邪魔にならないように隅の壁面等に設けることが多く、ポリ袋ホルダＡに正面からポリ袋Ｃを保持させたり取り出したりする作業を行うことが困難となる場合があるが、本考案ではポリ袋ホルダＡの斜め側方からポリ袋Ｃを保持させたり取り出したりする作業を行うことができるものである。
【００２８】
ここで、ポリ袋ホルダＡを設置するにあたっては、ポリ袋ホルダＡの上下位置を逆転させることで、壁等の造営面や家具の側面等の被固着面Ｂに対する保持部３の傾斜方向を変更することができる。そのため、ポリ袋Ｃの設置位置に応じて、使用者がポリ袋Ｃの保持、取り出しをし易い方向に保持部３の傾斜方向を設定することができるものである。
【００２９】
また、ポリ袋Ｃを保管するにあたっては、ポリ袋Ｃの寸法に応じて、寸法の大きいポリ袋Ｃを、上下方向の寸法の大きい保持板５が設けられた保持部３に保持させ、寸法の小さいポリ袋Ｃを、上下方向の寸法の小さい保持板５が設けられた保持部３に保持させるようにすることができ、このように寸法の異なるポリ袋Ｃを寸法ごとに分類して保管することができると共に、ポリ袋Ｃを取り出す場合には所望の寸法のポリ袋Ｃを容易に取り出すことが可能となる。
【００３０】
また、特に上記のように少なくとも保持板５を透明な材質にて形成すると、保持部３に保持されているポリ袋Ｃの色や印刷の有無等を容易に視認することができる。このため、保持部３に保持されているポリ袋Ｃから、無地のものや店名等が印刷されているもの等を選り分けて取り出すことが容易なものとなる。
【００３１】
また、上記のように保持板５を湾曲させて形成することで保持部３の開口側の保持板５間の幅を広く形成すると共に、保持部３の内奥側は保持板５間の幅をポリ袋Ｃを充分に保持できる程度に狭く形成することができ、ポリ袋Ｃの保持・取り出しの作業が容易となると共に、ポリ袋Ｃを脱落することなく充分に保持することが可能となるものである。
【図面の簡単な説明】
【００３２】
【図１】本考案の実施の形態の一例を示す斜視図である。
【図２】同上の正面図である。
【図３】同上の側面図である。
【図４】同上の平面図である。
【図５】同上の使用状態を示す斜視図である。
【符号の説明】
【００３３】
１  固着部
２  支持部
３  保持部
４  保持凹部
５  保持板
Ａ  ポリ袋ホルダ
Ｂ  被固着面
Ｃ  ポリ袋
【図１】
0003101887.tif 000003
【図２】
0003101887.tif 000004
【図３】
0003101887.tif 000005
【図４】
0003101887.tif 000006
【図５】
0003101887.tif 000007